(57)【要約】【課題】けらば部分の水切を適切に且つ確実に行う。【解決手段】野地板１１と、野地板１１の妻側端部上面に固定されるのぼり木１４と、野地板１１の上面に載置される屋根外装材１３と、野地板１１の妻側端部の下面側に設けられる破風板１５と、屋根外装材１３の妻側端部とのぼり木１４と野地板１１の妻側端部と破風板１５とを覆うけらば部材２と、けらば部材２の内側に配されたけらば水切４とを備える。けらば水切４は、のぼり木を覆うカバー部４０と、屋根外装材１３の妻側端部の下側に配置される水切辺４１と、破風板の外面を覆う延長カバー部４３とを有する。【選択図】図１
2017133323.tif 000002
【特許請求の範囲】
【請求項１】
野地板と、上記野地板の妻側端部上面に固定されるのぼり木と、上記野地板の上面に載置される屋根外装材と、上記野地板の妻側端部の下面側に設けられる破風板と、上記屋根外装材の妻側端部と上記のぼり木と上記野地板の妻側端部と上記破風板とを覆うけらば部材と、上記けらば部材の内側に配されたけらば水切とを備え、
上記けらば水切は、上記のぼり木を覆うカバー部の一側端から側方に延長されて上記屋根外装材の妻側端部の下側に配置される水切辺と、上記カバー部の他側端から下方側に延長されて上記破風板の外面を覆う延長カバー部とを有していることを特徴とする建物のけらば構造。
【発明の詳細な説明】
【技術分野】
【０００１】
本発明は、建物のけらば構造、殊にけらばにおける水切り構成に関するものである。
【背景技術】
【０００２】
建物のけらば構造として、特許文献１に示されたものがある。これは図２に示すように、垂木１０に支持された野地板１１上にアスファルトルーフィング等の防水シートである屋根下葺材１１を介して屋根外装材１３が葺かれた屋根の妻側端部には、のぼり木１４と破風板１５とけらば水切４とけらば部材２とが取り付けられている。図中１８は軒天井下地材、１９は軒天井材である。
【０００３】
上記のぼり木１４は野地板１１の妻側の端部上面に固定され、破風板１５は建物の妻側端部にある垂木１０の外面側に固定されて野地板１１の妻側端部の下面側に配されている。
【０００４】
破風板１５の屋外側の面に固定具１６によって固定されることで、野地板１１の妻側端面と破風板１５の屋外側の面並びに上記のぼり木１４の屋外側の面を覆うけらば部材２は、鋼板等の薄板材の折り曲げ加工で形成されている。このけらば部材２の上端からは、のぼり木１４の上面を空間を介して覆う横辺２１が延長されており、さらに横辺２１の先端からは屋根外装材１３に向けて垂れ下がる縦辺２２が延長されている。また、けらば部材２の下端からは破風板１５の裏側に先端が係止される断面Ｌ字形の係止辺２３が延長されている。
【０００５】
なお、けらば部材２はその強度を高めるために長手方向（軒棟方向）の全長に渡る屈曲部を備えており、この屈曲部を固定具１６による破風板１５への固定に利用している。
【０００６】
図中３は、けらば部材２，２同士の軒棟方向における連結部の裏側に配設されて、軒棟方向において並んでいるけらば部材２，２間を連結する連結部材である。けらば部材２とほぼ同形状の連結部材３は、固定具１６によって破風板１６にけらば部材２と共に固定され、上端に備える横辺３１がけらば部材２の横辺２１の下面側に固定具１７で結合されている。
【０００７】
けらば水切４は、のぼり木１４の外面を覆う断面逆Ｕ字形のカバー部４０の一側端から、屋根外装材１３と屋根下葺材１１との間に配される水切辺４１を延長したもので、鋼板等の薄板材を折り曲げ加工することで形成されている。カバー部４０の他側端４２は、けらば部材２の内側において、野地板１１の妻側端面を覆っている。
【先行技術文献】
【特許文献】
【０００８】
【特許文献１】特開２０１５−６８０９３号公報
【発明の概要】
【発明が解決しようとする課題】
【０００９】
上記構成のけらば構造では、けらば部材２の縦辺２２が屋根外装材１３の妻側の側縁よりも建物内側に位置している。しかし、縦辺２２下端と屋根外装材１３との間から、雨水や風がけらば部材２の中に吹き込んだ時、雨水がけらば水切４のカバー部４０を乗り越えてしまうことがある。このカバー部４０を乗り越えた雨水は、カバー部４０とけらば部材２内面との間を伝い落ちて、野地板１１の妻側端部の下面や破風板１５を濡らすことになる。
【００１０】
けらば部材２の縦辺２２と屋根外装材１３とを連結して、けらば部材２内へ雨水や風が吹き込まないようにすることも考えられるが、この場合、屋根外装材１３の熱伸縮を吸収することができなくなったり、厚みの異なる屋根外装材１３ごとに、けらば部材２を製造する必要がある。
【００１１】
本発明は上記問題に鑑みてなされたもので、けらば部分の水切を適切に且つ確実に行うことができる建物のけらば構造を提供することを課題とする。
【課題を解決するための手段】
【００１２】
本発明にかかる建物のけらば構造は、野地板と、上記野地板の妻側端部上面に固定されるのぼり木と、上記野地板の上面に載置される屋根外装材と、上記野地板の妻側端部の下面側に設けられる破風板と、上記屋根外装材の妻側端部と上記のぼり木と上記野地板の妻側端部と上記破風板とを覆うけらば部材と、上記けらば部材の内側に配されたけらば水切とを備え、上記けらば水切は、上記のぼり木を覆うカバー部の一側端から側方に延長されて上記屋根外装材の妻側端部の下側に配置される水切辺と、上記カバー部の他側端から下方側に延長されて上記破風板の外面を覆う延長カバー部とを有していることに特徴を有している。
【発明の効果】
【００１３】
本発明によれば、吹き込みのためにけらば部材の内側に雨水が入り込んでも、けらば水切における延長カバー部が破風板に上記雨水が接触することを防ぐ。
【図面の簡単な説明】
【００１４】
【図１】本発明の実施の形態の一例の断面図である。
【図２】従来例の断面図である。
【発明を実施するための形態】
【００１５】
以下本発明を図示の実施例に基づいて詳述すると、図１に示すように、基本的構成は上記従来例と同じであり、垂木１０に支持された野地板１１上に防水シートである屋根下葺材１１を介して屋根外装材１３が葺かれている。この屋根の妻側端部には、のぼり木１４と破風板１５とけらば水切４とけらば部材２とが取り付けられている。図中１８は軒天井下地材、１９は軒天井材である。
【００１６】
図示例のけらば部材２も、上記従来例に記載にしたものと同じものを示しており、破風板１５の屋外側の面に固定具１６によって固定されることで、野地板１１の妻側端面と破風板１５の屋外側の面並びに上記のぼり木１４の屋外側の面を覆っている。けらば部材２の上端から延長された横辺２１及び縦辺２２が延長され、縦辺２２の下端が屋根外装材１３の上面に対向している点や、けらば部材２の下端に、破風板１５の裏側に先端が係止される係止辺２３を備えている点も同じである。また、けらば部材２同士の連結のための連結部材３も前記従来例のものと同じものを示している。
【００１７】
なお、けらば部材２はその強度を高めるために長手方向（軒棟方向）の全長に渡る屈曲部を備えており、この屈曲部を固定具１６による破風板１５への固定に利用している。
【００１８】
そして鋼板等の薄板材の折り曲げ加工で形成された上記けらば水切４は、のぼり木１４の外面を覆う断面逆Ｕ字形のカバー部４０と、水切辺４１とに加えて、延長カバー部４３を備えている。水切辺４１は、カバー部４０の一側端から延長されて屋根外装材１３と屋根下葺材１１との間に配される。延長カバー部４３は、野地板１１の妻側端面に位置するカバー部２の他側端４２から延長されて、野地板１１の妻側端部下面及び破風板１５の外面を覆う。
【００１９】
けらば部材２の縦辺２２下端は、対向する屋根外装材１３と連結せずに、屋根外装材１３の温度による伸縮を許したり、厚みの異なる屋根外装材１３にも対応できる構成としている。このために、けらば部材２の縦辺２２下端と屋根外装材２との間から風及び雨水がけらば部材２の中に吹き込むことがある。また、けらば部材２の内部に入った雨水がけらば水切４のカバー部４０を乗り越えてしまうことがある。しかし、本実施例にかかるけらば構造であれば、カバー部４０を乗り越えた雨水はカバー部４０とけらば部材２内面との間、並びに延長カバー部４２とけらば部材２内面との間を伝い落ち、けらば部材２の係止辺２３上を屋根勾配に沿って排水される。
【００２０】
なお、けらば部材２及びけらば水切４の形状は図示例のものに限定されるものではなく、両者の間に入り込んだ雨水が、野地板１１及び破風板１５に接することなく流れ落ちるようになっておればよい。
【符号の説明】
【００２１】
２  けらば部材
４  けらば水切
１１  野地板
１３  屋根外装材
１４  のぼり木
１５  破風板
４０  カバー部
４１  水切辺
４２  他側端
４３  延長カバー部
【図１】
2017133323.tif 000003
【図２】
2017133323.tif 000004